(57)【特許請求の範囲】
【請求項１】
小屋裏換気のための換気口が軒先側に設けられた建物における、屋根の軒先部を補強するための補強構造であって、
桁方向において互いに離れて配置され、屋根下地材を下方から支持する複数の垂木と、
前記換気口よりも小屋裏空間側に位置し、前記複数の垂木の軒先側端面に当接した状態で桁方向に延び、前記換気口を通過した外気を小屋裏空間に取り込むために、前記屋根下地材とは間隔を開けて配置される鼻隠し部材と、
前記屋根下地材と前記鼻隠し部材との間に取り付けられ、前記屋根下地材の軒先部を補強するための補強具とを備え、
前記補強具は、
前記鼻隠し部材の上方において、前記複数の垂木の軒先側の壁面に当接する当接部と、前記当接部に隣接し、前記複数の垂木に当接しない非当接部と、前記非当接部に設けられた通気口とを有するベース部と、
前記ベース部の上端部に連結され、前記屋根下地材の下面に当接した状態で桁方向に延び、前記屋根下地材を下方から支持する屋根支持部と、
前記ベース部の下端部に連結され、前記鼻隠し部材の上端面に対面した状態で桁方向に延びる対面部とを含み、
前記補強具は、前記ベース部と前記屋根支持部と前記対面部とにより略Ｕ字状断面を有し、その開口が軒先側を向くように取り付けられている、軒先補強構造。
【請求項２】
前記補強具は、前記ベース部と前記屋根支持部とに交差する立壁部をさらに含む、請求項１に記載の軒先補強構造。
【請求項３】
前記立壁部は、前記ベース部のうち前記当接部に交差するように配置される、請求項２に記載の軒先補強構造。
【請求項４】
前記対面部は、前記立壁部に交差する、請求項２または３に記載の軒先補強構造。
【請求項５】
前記ベース部の前記当接部には、固定具を貫通するための貫通穴が設けられており、
前記対面部の桁方向の長さは、前記貫通穴の下方空間を露出するように選ばれている、請求項１〜４のいずれかに記載の軒先補強構造。
【請求項６】
前記ベース部の前記当接部には、固定具を貫通するための貫通穴が設けられており、
前記立壁部は、前記貫通穴と前記非当接部との間の境界位置に設けられている、請求項２〜４のいずれかに記載の軒先補強構造。
【請求項７】
小屋裏換気のための換気口が軒先側に設けられた建物における、屋根の軒先部を補強するための補強構造であって、
桁方向において互いに離れて配置され、屋根下地材を下方から支持する複数の垂木と、
前記複数の垂木の軒先側端面に当接した状態で桁方向に延び、外気を小屋裏空間に取り込むために、前記屋根下地材とは間隔を開けて配置される鼻隠し部材と、
前記屋根下地材と前記鼻隠し部材との間に取り付けられ、前記屋根下地材の軒先部を補強するための補強具とを備え、
前記補強具は、
前記鼻隠し部材の上方において、前記複数の垂木の軒先側の壁面に当接する当接部と、前記当接部に隣接し、前記複数の垂木に当接しない非当接部と、前記非当接部に設けられた通気口とを有するベース部と、
前記ベース部の上端部に連結され、前記屋根下地材の下面に当接した状態で桁方向に延び、前記屋根下地材を下方から支持する屋根支持部と、
前記ベース部と前記屋根支持部とに交差する立壁部とを含み、
前記ベース部の前記当接部には、固定具を貫通するための貫通穴が設けられており、
前記立壁部は、前記貫通穴と前記非当接部との間の境界位置に設けられている、軒先補強構造。
【請求項８】
小屋裏換気のための換気口が軒先側に設けられた建物の屋根下地材と、前記換気口よりも小屋裏空間側に位置し、前記換気口を通過した外気を小屋裏空間に送り込むために前記屋根下地材とは間隔を開けて配置され、複数の垂木の軒先側端面に当接した状態で桁方向に延びる鼻隠し部材との間に、屋根の軒先部を補強するために取り付けられる補強具であって、
前記鼻隠し部材の上方において、前記複数の垂木の軒先側の壁面に当接する当接部と、前記当接部に隣接し、前記複数の垂木に当接しない非当接部と、前記非当接部に設けられた通気口とを有するベース部と、
前記ベース部の上端部に連結され、前記屋根下地材の下面に当接した状態で桁方向に延び、前記屋根下地材を下方から支持する屋根支持部と、
前記ベース部の下端部に連結され、前記鼻隠し部材の上端面に対面した状態で桁方向に延びる対面部とを備え、
当該補強具は、前記ベース部と前記屋根支持部と前記対面部とにより略Ｕ字状断面を有し、その開口が軒先側を向くように取り付けられる、軒先補強具。
【請求項９】
小屋裏換気のための換気口が軒先側に設けられた建物の屋根下地材と、外気を小屋裏空間に送り込むために前記屋根下地材とは間隔を開けて配置され、複数の垂木の軒先側端面に当接した状態で桁方向に延びる鼻隠し部材との間に、屋根の軒先部を補強するために取り付けられる補強具であって、
前記鼻隠し部材の上方において、前記複数の垂木の軒先側の壁面に当接する当接部と、前記当接部に隣接し、前記複数の垂木に当接しない非当接部と、前記非当接部に設けられた通気口とを有するベース部と、
前記ベース部の上端部に連結され、前記屋根下地材の下面に当接した状態で桁方向に延び、前記屋根下地材を下方から支持する屋根支持部と、
前記ベース部と前記屋根支持部とに交差する立壁部とを含み、
前記ベース部の前記当接部には、固定具を貫通するための貫通穴が設けられており、
前記立壁部は、前記貫通穴と前記非当接部との間の境界位置に設けられている、軒先補強具。
【発明の詳細な説明】
【技術分野】
【０００１】
本発明は、軒先補強具および構造に関し、特に、小屋裏換気のための換気口が軒先側に設けられた建物における、屋根の軒先部を補強するための軒先補強具および構造に関する。
【背景技術】
【０００２】
小屋裏空間（屋根裏空間）を換気するために、建物の軒先側に換気口が設けられた建物が存在する。このような建物では、特開２０１３−６０７４６号公報（特許文献１）および実開平０２−６８９４４号公報（特許文献２）に示されるように、野地板の軒先先端に換気部材が取り付けられる。そのため、野地板と鼻隠し部材（下地）との間は、通気経路を確保するために離れた状態で配置される。
【先行技術文献】
【特許文献】
【０００３】
【特許文献１】特開２０１３−６０７４６号公報
【特許文献２】実開平０２−６８９４４号公報
【発明の概要】
【発明が解決しようとする課題】
【０００４】
特許文献１，２のように、野地板などの屋根下地材と鼻隠し部材との間に通気経路が形成される場合、屋根下地材の持ち出しが長くなる。その場合、特に、多雪地域においては、雪の重みに耐えきれず屋根の軒先部（先端部）が破損する恐れがある。
【０００５】
本発明は、上記のような課題を解決するためになされたものであって、その目的は、屋根下地材と鼻隠し部材との間に通気経路を確保しつつ、屋根の軒先部の強度を高めることのできる軒先補強具および軒先補強構造を提供することである。
【課題を解決するための手段】
【０００６】
この発明のある局面に従う軒先補強構造は、小屋裏換気のための換気口が軒先側に設けられた建物における、屋根の軒先部を補強するための補強構造であって、桁方向において互いに離れて配置され、屋根下地材を下方から支持する複数の垂木と、複数の垂木の軒先側端面に当接した状態で桁方向に延び、外気を小屋裏空間に取り込むために、屋根下地材とは間隔を開けて配置される鼻隠し部材と、屋根下地材と鼻隠し部材との間に取り付けられ、屋根下地材の軒先部を補強するための補強具とを備える。補強具は、鼻隠し部材の上方において、複数の垂木の軒先側の壁面に当接する当接部と、当接部に隣接し、複数の垂木に当接しない非当接部と、非当接部に設けられた通気口とを有するベース部と、ベース部の上端部に連結され、屋根下地材の下面に当接した状態で桁方向に延び、屋根下地材を下方から支持する屋根支持部とを含む。
【０００７】
好ましくは、補強具は、ベース部と屋根支持部とに交差する立壁部をさらに含む。
【０００８】
立壁部は、ベース部のうち当接部に交差するように配置されることが望ましい。
【０００９】
好ましくは、補強具は、ベース部の下端部に連結され、鼻隠し部材の上端面に対面した状態で配置される対面部をさらに含む。
【００１０】
対面部は、立壁部に交差することが望ましい。
【００１１】
ベース部の当接部には、固定具を貫通するための貫通穴が設けられていてもよい。この場合、対面部の桁方向の長さは、貫通穴の下方空間を露出するように選ばれていることが望ましい。
【００１２】
また、上記の場合、立壁部は、貫通穴と非当接部との間の境界位置に設けられていることが望ましい。
【００１３】
この発明の他の局面に従う軒先補強具は、小屋裏換気のための換気口が軒先側に設けられた建物の屋根下地材と、外気を小屋裏空間に送り込むために屋根下地材とは間隔を開けて配置され、複数の垂木の軒先側端面に当接した状態で桁方向に延びる鼻隠し部材との間に、屋根の軒先部を補強するために取り付けられる補強具である。軒先補強具は、鼻隠し部材の上方において、複数の垂木の軒先側の壁面に当接する当接部と、当接部に隣接し、複数の垂木に当接しない非当接部と、非当接部に設けられた通気口とを有するベース部と、ベース部の上端部に連結され、屋根下地材の下面に当接した状態で桁方向に延び、屋根下地材を下方から支持する屋根支持部とを備える。
【発明の効果】
【００１４】
本発明によれば、屋根下地材と鼻隠し部材との間に通気経路を確保しつつ、屋根の軒先部の強度を高めることができる。
【図面の簡単な説明】
【００１５】
【図１】本発明の実施の形態に係る軒先補強構造を示す断面図である。
【図２】本発明の実施の形態に係る軒先補強具の断面図である。
【図３】本発明の実施の形態に係る軒先補強具を正面（軒先側）から見た場合の平面図である。
【図４】本発明の実施の形態に係る軒先補強具が垂木に取り付けられた状態を模式的に示す斜視図である。
【図５】小屋裏換気のための換気口が軒先側に設けられた建物における軒先換気構造を示す図である。
【発明を実施するための形態】
【００１６】
本発明の実施の形態について図面を参照しながら詳細に説明する。なお、図中同一または相当部分には同一符号を付してその説明は繰返さない。
【００１７】
本実施の形態に係る軒先補強構造の説明に先立ち、まず、小屋裏換気のための換気口が軒先側に設けられた建物における軒先換気構造について簡単に説明する。図５に示されるように、小屋裏換気のための換気部材２が、屋根下地材としての野地板１１の軒先部の下方、かつ、鼻隠し部材１４よりも屋外側（軒先側）に設けられている。換気部材２は、水切としても機能し、換気部材２によって通気性と防水性とが実現される。なお、図５に示す換気部材２は、一例として、本出願人が特願２０１３−６７２１７号として出願済みの軒下換気装置と同じ構造を有している。換気部材２およびその周辺の構造について、簡単に説明する。
【００１８】
鼻隠し水切部材１５は、鼻隠し部材１４の屋外側の面に当接した状態で固定される垂直面部と、垂直面部の上側に位置し、屋根の傾斜に沿う傾斜部と、垂直面部の下側に位置し、軒天板１７（図１）の下側に回り込む下縁部とを有している。野地板１１と屋根仕上げ材１２（図１）との間に、水切部１６の上部が差し込まれている。水切部１６の先端部には曲げ部が形成されており、この曲げ部内に、鼻隠し水切部材１５における傾斜部の先端が係合している。
【００１９】
換気部材２の本体部２１は、傾斜部の下面にリベットによって固定されることで、鼻隠し水切部材１５と一体化されている。鼻隠し水切部材１５の傾斜部には開口１５０が設けられている。本体部２１の下方には凹部が設けられており、その対向面に換気口としての複数のスリット２１ａが形成されている。また、本体部２１の上方にも、鼻隠し水切部材１５の開口１５０に連通する換気口２１ｂが形成されている。したがって、外気は、スリット２１ａから本体部２１内に入り込み、内部の水返し板２２によって水返しされた後で、換気口２１ｂから小屋裏空間にまで導かれる。換気部材２は、鼻隠し水切部材１５の垂直面部に固定された樋１８の上方に配置されている。
【００２０】
ここで、換気部材２から送り出された外気を小屋裏空間にまで送り込むためには、野地板１１の下面と鼻隠し部材１４の上面との間に通気空間（換気口）１０が形成される。この場合、野地板１１の軒先部１１０、すなわち垂木１３よりも軒先側に位置する持ち出し部分は、下方からの支えがない状態となる。したがって、このような建物における、野地板１１の軒先部１１０の強度は、軒先側に換気口を有さない建物に比べて低くなってしまう。
【００２１】
そこで、本実施の形態では、通気空間１０の位置に軒先補強具を設けることとしている。以下に、軒先補強具を設けた建物の構造、すなわち軒先補強構造について詳細に説明する。
【００２２】
（軒先補強構造について）
図１は、本実施の形態に係る軒先補強構造を示す断面図である。なお、図１では、建物の軒先側を矢印Ａ１で示している。本実施の形態において、軒先側とその反対側とを含む方向（紙面左右方向）を、「奥行き方向」という。また、水平面上において、奥行き方向に直交する方向（紙面を貫通する方向）を、「桁方向」という。
【００２３】
図１に示されるように、図５に示した通気空間１０に、軒先補強具３が設けられている。つまり、軒先補強具３は、野地板１１と鼻隠し部材１４との間に取り付けられている。
【００２４】
野地板１１は、屋根仕上げ材１２を下方から支持する屋根下地材である。野地板１１は、複数の垂木１３によって下方から支持されている。複数の垂木１３は、桁方向において互いに離れて配置されている。鼻隠し部材１４は、複数の垂木１３の軒先側端面１３ａの下方側に当接した状態で桁方向に延びている。鼻隠し部材１４は、奥行き方向において厚みを有する鼻隠し下地であり、その前面側（軒先側）に鼻隠し水切部材１５の垂直面部が固定される。
【００２５】
軒先補強具３の構造および配置位置の具体例については、図２〜図４をさらに参照して説明する。図２は、軒先補強具３の断面図である。図３は、図２の矢印ＩＩＩで示す方向から見た場合の軒先補強具３を示す平面図である。図４は、軒先補強具３が垂木１３に取り付けられた状態を模式的に示す斜視図である。図４では、野地板１１より下方側の軒先の構造が示されている。また、図４には、桁方向が矢印Ａ２にて示されている。
【００２６】
軒先補強具３は、桁方向に延び、剛性を有する部材（たとえば鋼材）によって形成されている。軒先補強具３は、少なくとも、鼻隠し部材１４の上方において、垂木１３の軒先側の壁面に当接するベース部３１と、ベース部３１の上端部に連結され、野地板を下方から支持する屋根支持部３２とを含む。
【００２７】
ベース部３１は、少なくとも隣り合う２つの垂木１３に当接するように桁方向に延びている。ベース部３１は、垂木１３の軒先側端面１３ａの上方側に当接する当接部４１と、当接部４１に隣接し、垂木１３に当接しない非当接部４２とを有している。非当接部４２は、隣り合う垂木１３間に配置される。非当接部４２には、換気部材２からの外気を小屋裏空間へ送り込むための通気口３１０が設けられている。本実施の形態では、桁方向に隣り合う複数の通気口３１０が、各非当接部４２に設けられている。
【００２８】
本実施の形態では、ベース部３１は、垂木１３のピッチごとに、当接部４１を有している。各当接部４１には、ビス等の固定具５０を貫通するための貫通穴４１０が設けられている。これにより、ベース部３１は、複数の垂木１３に対し頑強に固定される。
【００２９】
屋根支持部３２は、ベース部３１の上端部に連結され、野地板１１の下面に当接した状態で桁方向に延びている。屋根支持部３２の軒先側端縁は、鼻隠し部材１４の上端面１４ａの軒先側端縁よりも軒先側に延びていることが望ましい。つまり、図２に示されるように、屋根支持部３２の奥行き寸法Ｌ１は、鼻隠し部材１４の上端面１４ａの奥行き寸法Ｌ３（図４）よりも大きいことが望ましい。これにより、野地板１１を広い範囲で支持することができる。なお、本実施の形態における「奥行き寸法」は、奥行き方向における各部の長さではなく、一端から他端までの距離を示す。
【００３０】
軒先補強具３は、上下方向の強度を高めるために、ベース部３１および屋根支持部３２に直交する立壁部３４をさらに含んでいる。立壁部３４は、ベース部３１のうち当接部４１に直交するように配置されている。より具体的には、立壁部３４は、当接部４１の貫通穴４１０と非当接部４２との間の境界位置に設けられる。両隣に非当接部４２が設けられた当接部４１の場合、当接部４１の両側部に立壁部３４が設けられることが望ましい。なお、立壁部３４は、上述の境界位置ではなく、非当接部４２の通気口３１０が存在しない部分（たとえば、複数の通気口３１０の間）に、設けられてもよい。あるいは、境界位置と非当接部４２との両方に設けられてもよい。
【００３１】
また、軒先補強具３は、ベース部３１の下端部に連結され、鼻隠し部材１４の上端面１４ａに対面する対面部３３を含んでいることが望ましい。つまり、軒先補強具３は、略Ｕ字状の断面を有し、その開口が軒先側を向くように取り付けられることが望ましい。この場合、立壁部３４は、対面部３３にも直交するように設けられることが望ましい。なお、立壁部３４と周辺部との交差角度は直角でなくてもよく、９０度に近い角度、たとえば９０度±５度の範囲で交差していればよい。
【００３２】
対面部３３は、鼻隠し部材１４の上端面１４ａと当接状態で対面している。これにより、野地板１１の軒先部１１０に荷重が掛かった場合でも、鼻隠し部材１４にて荷重を支持することができる。対面部３３の奥行き寸法Ｌ２は、屋根支持部３２の奥行き寸法Ｌ１よりも小さくてよい。具体的には、対面部３３の軒先側端縁は、鼻隠し部材１４の上端面１４ａの軒先側端縁と略同じ位置であってよい。つまり、対面部３３の奥行き寸法Ｌ２は、鼻隠し部材１４の上端面１４ａの奥行き寸法Ｌ３と略同じであってよい。あるいは、鼻隠し部材１４の上端面１４ａの奥行き寸法Ｌ３よりも小さくてもよい。
【００３３】
軒先補強具３が対面部３３を含む場合、立壁部３４の形状は、たとえば四角形状である。具体的には、立壁部３４は、ベース部３１の上下端部、屋根支持部３２の先端部、および対面部３３の先端部を頂点とする四角形状を有している。立壁部３４は、少なくともベース部３１に対し固定されていればよい。たとえば、軒先補強具３は、立壁部３４のベース部３１側の端縁に接続され、当接部４１の軒先側の面に重ねられる取り付け部（図示せず）をさらに有していてもよい。この場合、取り付け部は、貫通穴４１０の位置に貫通穴を有し、当接部４１の軒先側の面全体に重ねられるようにしてもよい。このようにすることで、軒先補強具３の強度をより高めることもできる。
【００３４】
図３および図４に示されるように、対面部３３は、ベース部３１の非当接部４２に接続され、当接部４１の貫通穴４１０と非当接部４２との間の境界位置を終端としている。具体的には、本実施の形態における対面部３３は、少なくとも非当接部４２の下端部全体に接続されている。これにより、固定具５０を取り付けるための空間を確保することができる。つまり、貫通穴４１０の下方には対面部３３が存在せず、貫通穴４１０の下方空間が露出されるため、軒先補強具３を垂木１３に固定する際に、対面部３３が邪魔にならず、軒先側から容易に固定具５０を打ち込むことができる。なお、本実施の形態では、当接部４１の貫通穴４１０と非当接部４２との間の境界位置には立壁部３４が配置されているため、対面部３３は、立壁部３４と交差する位置を終端としている。
【００３５】
上述のように、軒先補強具３は、建物の構造躯体としての垂木１３に固定され、鼻隠し部材１４よりも軒先側に長い屋根支持部３２を有している。したがって、野地板１１と鼻隠し部材１４との間に通気経路が設けられている建物においても、野地板１１の軒先部の強度を高めることができる。また、ベース部３１、屋根支持部３２および対面部３３に直交するように立壁部３４が設けられている。したがって、積雪などにより野地板１１の軒先部１１０に大きな荷重が掛かったとしても、軒先補強具３によってその荷重を支持することができる。
【００３６】
なお、本実施の形態では、ベース部３１は、ビス等の固定具５０によって垂木１３に固定されることとしたが、接着剤等によって固定されてもよい。この場合、ベース部３１の当接部４１は、貫通穴４１０を含まなくてよい。また、この場合、対面部３３は、当接部４１にて途切れることなく、ベース部３１の下端部全体に接続されてもよい。
【００３７】
また、ベース部３１の当接部４１は、垂木１３の軒先側端面１３ａに当接し、この当接部４１において垂木１３に固定されることとしたが、別途、垂木１３に固定するための部材が設けられてもよい。または、ベース部３１が隣り合う２つの垂木１３を１単位として分割して配置される場合、当接部４１は、垂木１３の軒先側の側面１３ｂ（図４）に当接して固定されてもよい。
【００３８】
また、ベース部３１の非当接部４２は、当接部４１の幅方向（桁方向）端部に接続される有形の部材として説明したが、無形の部材であってもよい。つまり、非当接部４２の全てが通気口として機能してもよい。
【００３９】
また、対面部３３は、鼻隠し部材１４の上端面１４ａと当接状態で対面することとしたが、非当接状態で対面してもよい。このような場合でも、野地板１１の先端側に撓みが生じたときに、対面部３３が鼻隠し部材１４の上端面１４ａに当接するため、鼻隠し部材１４にて荷重を支持することができる。なお、この場合、対面部３３は、水平方向に延び、鼻隠し部材１４の上端面１４ａと略平行となるように配置されていてもよいし、たとえば軒先側が斜め上方となるよう傾斜していてもよい。
【００４０】
また、本実施の形態では、対面部３３は、少なくとも非当接部４２の下端部全体に接続されることとした。しかしながら、対面部３３は、非当接部４２の桁方向端部を除外した中央領域にのみ接続されていてもよい。つまり、対面部３３は、固定具５０の取り付け空間を確保するために、その桁方向の長さが、当接部４１の貫通穴４１０の下方空間を露出するように選ばれていればよい。
【００４１】
なお、鼻隠し部材１４の上方に位置する屋根下地材が、野地板１１であることとしたが、限定的ではなく、たとえば広小舞などであってもよい。また、換気部材２の位置および構造は、上記例に限定されない。
【００４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４３】
２  換気部材、３  軒先補強具、１０  通気空間、１１  野地板、１２  屋根仕上げ材、１３  垂木、１４  鼻隠し部材、１５  鼻隠し水切部材、１６  水切部、１７  軒天板、２１  本体部、２１ａ  スリット、２１ｂ  換気口、２２  水返し板、３１  ベース部、３２  屋根支持部、３３  対面部、３４  立壁部、４１  当接部、４２  非当接部、５０  固定具、１１０  軒先部、１５０  開口、３１０  通気口、４１０  貫通穴。
【図１】
0006014064.tif 000002
【図２】
0006014064.tif 000003
【図３】
0006014064.tif 000004
【図４】
0006014064.tif 000005
【図５】
0006014064.tif 000006